(57)【要約】【課題】アスペクト比が４：３の映像を画面全体に表示させること。【解決手段】制御手段としての制御回路５が通常表示モードと全画面表示モードとを有しており、全画面表示モードの選択指示があると、デジタル放送の映像のアスペクト比を判別し、サイドパネルが付加された４：３の映像であると判別すると、映像処理手段としての映像処理回路２に対してサイドパネルのデータを除去し、さらにその映像の縦横方向の比率を液晶表示パネル４の画面サイズ（たとえば１６：９）に合うような補正（スケーリング処理）が指示されるようにした。【選択図】図２
2008306421.tif 000002
【特許請求の範囲】
【請求項１】
デジタル放送を受像するデジタル放送受像機器であって、
映像を表示する表示手段と、
前記デジタル放送のトランスポートストリームから各種データを分離・抽出し、その分離・抽出した各種データの復号処理を行い、少なくとも前記表示手段に表示される映像信号を出力する映像処理手段と、
通常表示モードと全画面表示モードとのいずれかの選択指示に応じて、前記映像処理手段による映像処理を制御する制御手段とを備え、
前記制御手段は、前記全画面表示モードの選択指示があると、前記デジタル放送の映像のアスペクト比を判別し、サイドパネルが付加された４：３の映像であると判別すると、前記映像処理手段に対し、前記サイドパネルのデータを除去させ、さらにその映像の縦横方向の比率を前記表示手段の画面サイズに合うように補正させる
ことを特徴とするデジタル放送受像機器。
【請求項２】
前記制御手段は、前記映像処理手段に対し、前記分離・抽出されたトランスポートストリームのパケットに含まれているアスペクト情報から前記映像のアスペクト比を判別し、そのパケットのパケットヘッダに含まれている情報を元に前記サイドパネルのデータを特定し、前記映像処理手段に対してその特定したデータを除去させることを特徴とする請求項１に記載のデジタル放送受像機器。
【請求項３】
前記制御手段は、前記映像の１フレーム内及び数フレーム間内の特定領域での画像輝度、あるいは動きベクトルを求め、その平均画像輝度、あるいは動きベクトルの計算結果が所定の閾値以下であった場合に、前記サイドパネルが付加された４：３の映像であると判別し、前記映像処理手段に対して前記平均画像輝度、あるいは動きベクトルの計算結果が所定の閾値以下であった部分のデータを除去させることを特徴とする請求項１に記載のデジタル放送受像機器。
【請求項４】
前記サイドパネルのデータを除去した映像信号が記録装置に出力されることを特徴とする請求項１〜３のいずれかに記載のデジタル放送受像機器。
【請求項５】
アスペクト比１６：９の番組放送の途中にサイドパネルの付加されたアスペクト比４：３の映像信号が含まれているとき、該アスペクト比４：３の映像信号がカットされて記録装置に出力されることを特徴とする請求項１〜３のいずれかに記載のデジタル放送受像機器。
【請求項６】
デジタル放送を受像するデジタル放送受像方法であって、
表示手段により映像を表示する工程と、
映像処理手段により前記デジタル放送のトランスポートストリームから各種データを分離・抽出し、その分離・抽出した各種データの復号処理を行い、少なくとも前記表示手段に表示される映像信号を出力する工程と、
制御手段により通常表示モードと全画面表示モードとのいずれかの選択指示に応じて、前記映像処理手段による映像処理を制御する工程とを有し、
前記制御手段は、前記全画面表示モードの選択指示があると、前記デジタル放送の映像のアスペクト比を判別し、サイドパネルが付加された４：３の映像であると判別すると、前記映像処理手段に対し、前記サイドパネルのデータを除去させ、さらにその映像の縦横方向の比率を前記表示手段の画面サイズに合うように補正させる
ことを特徴とするデジタル放送受像方法。
【請求項７】
前記制御手段は、前記映像処理手段に対し、前記分離・抽出されたトランスポートストリームのパケットに含まれているアスペクト情報から前記映像のアスペクト比を判別し、そのパケットのパケットヘッダに含まれている情報を元に前記サイドパネルのデータを特定し、前記映像処理手段に対してその特定したデータを除去させることを特徴とする請求項６に記載のデジタル放送受像方法。
【請求項８】
前記制御手段は、前記映像の１フレーム内及び数フレーム間内の特定領域での画像輝度、あるいは動きベクトルを求め、その平均画像輝度、あるいは動きベクトルの計算結果が所定の閾値以下であった場合に、前記サイドパネルが付加された４：３の映像であると判別し、前記映像処理手段に対して前記平均画像輝度、あるいは動きベクトルの計算結果が所定の閾値以下であった部分のデータを除去させることを特徴とする請求項６に記載のデジタル放送受像方法。
【請求項９】
前記サイドパネルのデータを除去した映像信号が記録装置に出力されることを特徴とする請求項６〜８のいずれかに記載のデジタル放送受像方法。
【請求項１０】
アスペクト比１６：９の番組放送の途中にサイドパネルの付加されたアスペクト比４：３の映像信号が含まれているとき、該アスペクト比４：３の映像信号がカットされて記録装置に出力されることを特徴とする請求項６〜８のいずれかに記載のデジタル放送受像方法。
【発明の詳細な説明】
【技術分野】
【０００１】
本発明は、アスペクト比が４：３の映像を１６：９のワイド画面に表示させる場合に適したデジタル放送受像機器及びデジタル放送受像方法に関する。
【背景技術】
【０００２】
従来より、現行のアナログ放送であるＮＴＳＣ方式のアスペクト比が４：３の映像信号に補助信号を付加することで、アスペクト比が１６：９のワイドアスペクトの映像を映出させる表示方法が提案されている。
【０００３】
すなわち、たとえばアナログ放送（４：３映像）にサイドバー（黒帯等）等のサイドパネルを付加して１６：９放送として送信するようにしたものである。
【０００４】
ところが、このような表示方法では、たとえばアナログ放送（４：３映像）にサイドバー（黒帯等）等のサイドパネルを付加した映像を１６：９のワイドテレビに表示させると、その映像が１６：９のワイドテレビの画面全体に表示されるのではなく、その映像の左右にサイドバー（黒帯等）等のサイドパネルが表示されることになる。
【０００５】
ここで、たとえばアナログ放送（４：３映像）にサイドバー（黒帯等）等のサイドパネルを付加した映像を１６：９のワイドテレビに表示させるとき、そのサイドパネルが表示されないようにしたものとして、特許文献１で提案されているワイドアスペクト受像機が知られている。
【０００６】
これは、テレビジョン信号に送信側で重畳されるワイドアスペクトの映像信号か、アスペクト比が４：３の映像信号であるかを知らせるパイロット信号を検出し、アスペクト比が４：３の映像信号であることを識別したとき、サイドパネルをマスクするようにしたものである。
【特許文献１】特開平０５−００７３４９号公報
【発明の開示】
【発明が解決しようとする課題】
【０００７】
すなわち、上述した特許文献１に示されるワイドアスペクト受像機では、検出したパイロット信号に基づき、アスペクト比が４：３の映像信号であることを識別したとき、サイドパネルをマスクすることで、アスペクト比が４：３の映像信号を１６：９のワイド画面に表示するとき、そのサイドパネルに映像がずれ込んでしまったり、ノイズが表示されてしまったりすることを抑制するようにしている。
【０００８】
ところが、このような表示方法では、単に映像の左右のサイドパネルが表示されないようにしていることから、１６：９のワイドテレビにおいて、アスペクト比が４：３の映像を画面全体に表示させることができないという問題があった。
【０００９】
本発明は、このような状況に鑑みてなされたものであり、上記問題点を解決することができるデジタル放送受像機器及びデジタル放送受像方法を提供することを目的とする。
【課題を解決するための手段】
【００１０】
本発明のデジタル放送受像機器は、デジタル放送を受像するデジタル放送受像機器であって、映像を表示する表示手段と、前記デジタル放送のトランスポートストリームから各種データを分離・抽出し、その分離・抽出した各種データの復号処理を行い、少なくとも前記表示手段に表示される映像信号を出力する映像処理手段と、通常表示モードと全画面表示モードとのいずれかの選択指示に応じて、前記映像処理手段による映像処理を制御する制御手段とを備え、前記制御手段は、前記全画面表示モードの選択指示があると、前記デジタル放送の映像のアスペクト比を判別し、サイドパネルが付加された４：３の映像であると判別すると、前記映像処理手段に対し、前記サイドパネルのデータを除去させ、さらにその映像の縦横方向の比率を前記表示手段の画面サイズに合うように補正させることを特徴とする。
また、前記制御手段は、前記映像処理手段に対し、前記分離・抽出されたトランスポートストリームのパケットに含まれているアスペクト情報から前記映像のアスペクト比を判別し、そのパケットのパケットヘッダに含まれている情報を元に前記サイドパネルのデータを特定し、前記映像処理手段に対してその特定したデータを除去させるようにすることができる。
また、前記制御手段は、前記映像の１フレーム内及び数フレーム間内の特定領域での画像輝度、あるいは動きベクトルを求め、その平均画像輝度、あるいは動きベクトルの計算結果が所定の閾値以下であった場合に、前記サイドパネルが付加された４：３の映像であると判別し、前記映像処理手段に対して前記平均画像輝度、あるいは動きベクトルの計算結果が所定の閾値以下であった部分のデータを除去させるようにすることができる。
また、前記サイドパネルのデータを除去した映像信号が記録装置に出力されるようにすることができる。
また、アスペクト比１６：９の番組放送の途中にサイドパネルの付加されたアスペクト比４：３の映像信号が含まれているとき、該アスペクト比４：３の映像信号がカットされて記録装置に出力されるようにすることができる。
本発明のデジタル放送受像方法は、デジタル放送を受像するデジタル放送受像方法であって、表示手段により映像を表示する工程と、映像処理手段により前記デジタル放送のトランスポートストリームから各種データを分離・抽出し、その分離・抽出した各種データの復号処理を行い、少なくとも前記表示手段に表示される映像信号を出力する工程と、制御手段により通常表示モードと全画面表示モードとのいずれかの選択指示に応じて、前記映像処理手段による映像処理を制御する工程とを有し、前記制御手段は、前記全画面表示モードの選択指示があると、前記デジタル放送の映像のアスペクト比を判別し、サイドパネルが付加された４：３の映像であると判別すると、前記映像処理手段に対し、前記サイドパネルのデータを除去させ、さらにその映像の縦横方向の比率を前記表示手段の画面サイズに合うように補正させることを特徴とする。
また、前記制御手段は、前記映像処理手段に対し、前記分離・抽出されたトランスポートストリームのパケットに含まれているアスペクト情報から前記映像のアスペクト比を判別し、そのパケットのパケットヘッダに含まれている情報を元に前記サイドパネルのデータを特定し、前記映像処理手段に対してその特定したデータを除去させるようにすることができる。
また、前記制御手段は、前記映像の１フレーム内及び数フレーム間内の特定領域での画像輝度、あるいは動きベクトルを求め、その平均画像輝度、あるいは動きベクトルの計算結果が所定の閾値以下であった場合に、前記サイドパネルが付加された４：３の映像であると判別し、前記映像処理手段に対して前記平均画像輝度、あるいは動きベクトルの計算結果が所定の閾値以下であった部分のデータを除去させるようにすることができる。
また、前記サイドパネルのデータを除去した映像信号が記録装置に出力されるようにすることができる。
また、アスペクト比１６：９の番組放送の途中にサイドパネルの付加されたアスペクト比４：３の映像信号が含まれているとき、該アスペクト比４：３の映像信号がカットされて記録装置に出力されるようにすることができる。
本発明のデジタル放送受像機器及びデジタル放送受像方法では、全画面表示モードの選択指示があると、制御手段により、デジタル放送の映像のアスペクト比が判別され、サイドパネルが付加された４：３の映像であると判別されると、映像処理手段に対する制御により、サイドパネルのデータが除去され、さらにその映像の縦横方向の比率が表示手段の画面サイズに合うように補正される。
【発明の効果】
【００１１】
本発明のデジタル放送受像機器及びデジタル放送受像方法によれば、全画面表示モードの選択指示があると、制御手段により、デジタル放送の映像のアスペクト比が判別され、サイドパネルが付加された４：３の映像であると判別されると、映像処理手段に対する制御により、サイドパネルのデータが除去され、さらにその映像の縦横方向の比率が表示手段の画面サイズに合うように補正されるようにしたので、表示手段の画面サイズがたとえば１６：９であるとき、アスペクト比が４：３の映像をその画面全体に表示させることができる。
【発明を実施するための最良の形態】
【００１２】
本実施形態では、制御手段が通常表示モードと全画面表示モードとを有しており、全画面表示モードの選択指示があると、デジタル放送の映像のアスペクト比を判別し、サイドパネルが付加された４：３の映像であると判別すると、映像処理手段に対してサイドパネルのデータを除去し、さらにその映像の縦横方向の比率を表示手段の画面サイズに合うような映像処理が指示される。
【００１３】
ここで、サイドパネルが付加された４：３の映像であるかどうかの判別やサイドパネルの特定は、映像処理手段によって分離・抽出されたトランスポートストリームのパケットに含まれているアスペクト情報と、そのパケットのパケットヘッダに含まれている情報とに基づいて行うことができる。
【００１４】
また、サイドパネルが付加された４：３の映像であるかどうかの判別やサイドパネルの特定は、映像の１フレーム内及び数フレーム間内の特定領域での画像輝度、あるいは動きベクトルを求め、その平均画像輝度、あるいは動きベクトルの計算結果が所定の閾値以下であるかどうかによる処理によっても行うことができる。
【００１５】
このようにして、サイドパネルが付加された４：３の映像であるかどうかの判別やサイドパネルの特定が行われることで、表示手段の画面サイズがたとえば１６：９であるとき、アスペクト比が４：３の映像をその画面全体に表示させることができる。
【実施例】
【００１６】
以下、本発明の実施例の詳細について説明する。図１は、本発明のデジタル放送受像機器の一実施例を説明するための図である。
【００１７】
図１に示すデジタル放送受像機器１は、たとえば地上デジタルテレビ放送の映像を表示するものであり、映像処理回路２、液晶駆動ドライバ３、液晶表示パネル４、制御回路５、リモコン受光器６を備えている。
【００１８】
映像処理回路２は、たとえばリモコン受光器６によって受信された図示しないリモコン送信機からの選局データに基づきデジタル放送信号の選局を行い、その選局したデジタル放送信号を復調し、ＭＰＥＧ２符号化方式等で符号化されている映像、音声、データが多重されたトランスポートストリーム（ＴＳ）から映像データ、音声データ、電子番組表データ等の各種データを分離・抽出し、その分離・抽出した映像データ、音声データ及び電子番組表データ（ＥＰＧ）等に対しＭＰＥＧ２等の復号処理を行う。
【００１９】
ここで、放送局からのデジタル放送信号は、たとえばビデオ信号をデジタルデータ化し、エンコーダーにてエレメンタリーストリーム化し、このエレメンタリーストリームを１８４バイトずつ取り出して、ＴＳパケット化している。ＴＳのパケットは、１８８バイトの情報部分を有しており、先頭４バイトはパケットヘッダとなっており、映像、音声、あるいはＥＰＧのような情報はその後の１８４バイトに載せられている。また、エレメンタリーストリームには映像のアスペクト比である４：３や１６：９を示すアスペクト情報も含まれている。よって、映像処理回路２でのトランスポートストリーム（ＴＳ）からの映像データ、音声データ、電子番組表データ（ＥＰＧ）等の各種データの分離・抽出が行われることで、映像のアスペクト情報も抽出されることになる。
【００２０】
なお、ＥＰＧは、映像、音声とは別パケットで番組特定情報／番組配列情報（ＰＳＩ／ＳＩ）として送信されている。このようなＥＰＧにも、画面サイズ（１０８０のＨＤＴＶなのか、４８０のＳＤＴＶなのか、１６：９なのか、４：３なのか）といった情報が含まれている。
【００２１】
液晶駆動ドライバ３は、映像処理回路２からの映像信号に基づき、液晶表示パネル４の液晶を駆動させて映像を表示させる。液晶表示パネル４は、１６：９のワイド画面を有するものであり、液晶駆動ドライバ３による液晶の駆動に応じて映像を表示する。制御回路５は、リモコン受光器６によって受信された図示しないリモコン送信機からの選局データ等に基づき、映像処理回路２における映像処理を制御する。
【００２２】
また、制御回路５は、通常表示モードと全画面表示モードとを有している。ここで、通常表示モードとは、アスペクト比が１６：９の映像の場合、その映像をそのまま１６：９のワイド画面を有する液晶表示パネル４に表示させるモードである。また、アスペクト比が４：３の映像の場合、その４：３の映像に含まれているサイドバー（黒帯等）等のサイドパネルをその映像の左右に表示させるモードである。なお、液晶表示パネル４が４：３の画面である場合は、４：３の映像の縦方向の比率を狭めるとともに、その４：３の映像に含まれているサイドバー（黒帯等）等のサイドパネルがその映像の左右に表示されるようになっている。
【００２３】
一方、全画面表示モードとは、アスペクト比が４：３の映像の場合、その４：３の映像に含まれているサイドパネルを除去し、サイドパネルの無い映像の縦横方向の比率を１６：９に補正（スケーリング処理）して１６：９のワイド画面を有する液晶表示パネル４の画面全体に表示させるモードである。
【００２４】
なお、全画面表示モードでの制御回路５によるアスペクト比が４：３の映像のサイドパネルの判別処理と除去処理については後述する。そして、制御回路５は、リモコン受光器６によって受信された図示しないリモコン送信機からの通常表示モード又は全画面表示モードのいずれかの指示に応じて、通常表示モード又は全画面表示モードでの映像表示が行われるように、映像処理回路２による映像処理を制御するようになっている。
【００２５】
次に、デジタル放送受像機器１によるデジタル放送受像方法について説明する。まず、図２に示すように、デジタル放送受像機器１の電源がオンされて（ステップＳ１）、電源オフ時に記憶されていたあるチャンネル（ＣＨ）の映像が表示されたとする（ステップＳ２）。
【００２６】
ここで、図示しないリモコン送信機からの通常表示モード又は全画面表示モードの指示があると、制御回路５により通常表示モード又は全画面表示モードの処理が実行される。すなわち、通常表示モードの指示があるとき（ステップＳ３）、映像処理回路２によって分離・抽出されたトランスポートストリーム（ＴＳ）からの上述したアスペクト情報から映像のアスペクト比が判別され、そのアスペクト比が１６：９の映像の場合は、その映像をそのまま１６：９のワイド画面を有する液晶表示パネル４に表示させる（ステップＳ４）。また、同様にして、アスペクト比が４：３の映像の場合、その４：３の映像に含まれているサイドバー（黒帯等）等のサイドパネルがその映像の左右に表示される。
【００２７】
これに対し、全画面表示モードの指示があるとき（ステップＳ５）、上記同様に、映像処理回路２によって分離・抽出されたトランスポートストリーム（ＴＳ）からの上述したアスペクト情報から映像のアスペクト比が判別され（ステップＳ６）、そのアスペクト比が１６：９の映像の場合は、上記同様に、その映像をそのまま１６：９のワイド画面を有する液晶表示パネル４に表示させる。
【００２８】
これに対し、そのアスペクト比が４：３である場合は、制御回路５により映像処理回路２が制御されて４：３の映像に含まれているサイドバー（黒帯等）等のサイドパネルのデータが除去される（ステップＳ７）。ここで、サイドパネルのデータを除去する場合、上述したＴＳのパケットのパケットヘッダに含まれている情報を元にサイドパネルのデータを特定し、その特定したデータを除去するようにすればよい。
【００２９】
このとき、映像処理回路２により、サイドパネルのデータを除去した映像の縦横方向の比率が１６：９に補正（スケーリング処理）され（ステップＳ８）、液晶駆動ドライバ３に出力されると、その４：３の映像が１６：９のワイド画面を有する液晶表示パネル４の全画面に表示される（ステップＳ９）。
【００３０】
このように、本実施例では、制御手段としての制御回路５が通常表示モードと全画面表示モードとを有しており、全画面表示モードの選択指示があると、デジタル放送の映像のアスペクト比を判別し、サイドパネルが付加された４：３の映像であると判別すると、映像処理手段としての映像処理回路２に対してサイドパネルのデータを除去し、さらにその映像の縦横方向の比率を液晶表示パネル４の画面サイズ（たとえば１６：９）に合うような補正（スケーリング処理）が指示されるようにしたので、アスペクト比が４：３の映像をその画面全体に表示させることができる。
【００３１】
ここで、サイドパネルが付加された４：３の映像であるかどうかの判別やサイドパネルの特定は、上述したように、映像処理回路２によって分離・抽出されたトランスポートストリームのパケットに含まれているアスペクト情報と、そのパケットのパケットヘッダに含まれている情報とに基づいて行うことができる。
【００３２】
また、本実施例では、サイドパネルが付加された４：３の映像であると判別すると、映像処理回路２によってサイドパネルのデータが除去されるため、液晶表示パネル４に表示される映像信号をＨＤＤ（Ｈａｒｄ  Ｄｉｓｋ  Ｄｒｉｖｅ）記録装置やＤＶＤ（Ｄｉｇｉｔａｌ  Ｖｅｒｓａｔｉｌｅ  Ｄｉｓｋ）記録装置等の記録装置に記録する際、サイドパネルのデータが除去されて記録されるため、結果的に画像圧縮効率を上げることができる。
【００３３】
また、ＣＭ放送の多くは、アスペクト比が４：３の映像であることを利用し、少なくとも映像処理回路２によって分離・抽出されたトランスポートストリームのパケットに含まれているアスペクト情報に基づいて映像のアスペクト比を判別することにより、ＣＭ放送を抽出できる。すなわち、アスペクト比１６：９の番組が放送されているとき、その途中にアスペクト比４：３の放送が存在した場合、そのアスペクト比４：３の放送はＣＭ放送である確率が高いと判別することで、上述した記録装置にＣＭ放送のデータをカットして記録させることも可能となる。
【００３４】
なお、本実施例では、映像処理回路２によって分離・抽出されたトランスポートストリーム（ＴＳ）からの上述したアスペクト情報から映像のアスペクト比を判別し、そのアスペクト比が４：３である場合は、上述したＴＳのパケットのパケットヘッダに含まれている情報を元にサイドパネルのデータを特定し、その特定したデータを除去する場合で説明したが、そのアスペクト情報やパケットヘッダに含まれている情報を用いずに映像のアスペクト比の判別やサイドパネルの除去を行うことも可能である。
【００３５】
すなわち、図３に示すように、１フレーム内及び数フレーム間内の特定領域（サイドパネル）に着目し、画像輝度、あるいは動きベクトルを求めることでアスペクト比４：３の映像信号であることを検出できる。ここで、平均画像輝度、あるいは動きベクトルの計算結果がある閾値以下であった場合には４：３の映像にサイドパネルが付加された映像であることが判別される。ここで、サイドパネルには、黒帯以外に静止画パターンやテロップ等が表示される場合がある。
【００３６】
すなわち、アスペクト比１６：９であるとの情報がトランスポートストリーム信号から得られたとしても、実際はアスペクト比４：３のサイドパネル付きの映像が送られてくる場合がある。このような場合に画像輝度、あるいは動きベクトルを求めることでサイドパネルを検出しアスペクト比を判別する方法を、上記トランスポートストリーム信号のアスペクト情報からアスペクト比を判別する方法に併用すると効果的である。勿論これらのアスペクト比の判別方法はそれぞれ独立に使用してもよい。
【００３７】
このようにして４：３の映像にサイドパネルが付加された映像であることが判別されると、平均画像輝度、あるいは動きベクトルの計算結果がある閾値以下であった部分のデータを削除することで、４：３の映像のデータのみを抽出することができる。また、このようにしてアスペクト比４：３の映像のデータのみを抽出すると、上述したように、これら映像信号を録画する場合にサイドパネルのデータを録画する必要がなく、メモリ容量の節約になる。また、このように、画像輝度、あるいは動きベクトルを求めることでサイドパネル部分を検出しアスペクト比を判別する方法により、上記同様に、ＣＭ放送のデータをカットして記録させることも可能となる。
【００３８】
なお、本実施例では、デジタル放送を受像するデジタル放送受像機器１の場合で説明したが、現行のアナログ放送を受像するテレビジョン受像機器にも適用可能である。この場合、アナログ放送のたとえばパイロット信号に基づき、アスペクト比が４：３の映像信号であることを識別したとき、上述したようにサイドパネルの信号を除去し、液晶表示パネル４の画面サイズ（たとえば１６：９）に合うような信号補正を行うようにすればよい。
【産業上の利用可能性】
【００３９】
デジタル放送受像機器に限らず、デジタル放送の映像が表示されるものであればよく、テレビチューナが搭載されたＰＤＡ、ノートパソコン、モバイル向けテレビ等のシステム機器にも適用可能である。
【図面の簡単な説明】
【００４０】
【図１】本発明のデジタル放送受像機器の一実施例を説明するための図である。
【図２】図１のデジタル放送受像機器によるデジタル放送受像方法について説明するためのフローチャートである。
【図３】図１のデジタル放送受像機器における映像のアスペクト比の判別やサイドパネルの除去を行う場合の他の方法を説明するための図である。
【符号の説明】
【００４１】
１  デジタル放送受像機器
２  映像処理回路（映像処理手段）
３  液晶駆動ドライバ
４  液晶表示パネル（表示手段）
５  制御回路（制御手段）
６  リモコン受光器
【図１】
2008306421.tif 000003
【図２】
2008306421.tif 000004
【図３】
2008306421.tif 000005